(57)【要約】 【課題】  テーブルのＴ溝内に途中から差込可能な簡単な形状で、その差込後に行う被加工物のネジ止め固定作業によりそのＴ溝内に引抜不能に位置決め固定することができるようにして、被加工物のテーブルへの位置決め固定作業を容易化することのできる安価なＴ溝固定用ブロックを提供すること。【解決手段】  Ｔ溝上部よりも幅狭の幅、Ｔ溝上部や底部よりも長い長さ、および、Ｔ溝底部よりも厚い高さを有する寸法に形成された本体部１１と、この本体部１１の上面中央に刻設された雌ネジ１３と、この雌ネジ１３を中心に時計回りに回転させたときに先行する本体部１１の対角の両側面側を切り欠いた切欠部１４とを備えて、その切欠部１４は、Ｔ溝上部を画成する張出部を内部に位置させて、下方の本体部下部１５をＴ溝底部内（張出部下方）に進入させることができる。【選択図】      図１
2006170297.tif 000002
【特許請求の範囲】
【請求項１】
被加工物を位置決めするテーブルに形成されたＴ溝内に差し込んで引抜不能に固定するＴ溝固定用ブロックであって、
幅狭に形成されてテーブルの上面に開口するＴ溝上部よりも狭い幅、該Ｔ溝上部の幅よりも長い長さ、および、Ｔ溝上部よりも幅広に形成されたＴ溝底部よりも厚い高さを有する寸法形状に形成されるとともに、
上面側に刻設されて被加工物の位置決め用部材をネジ止めするネジ溝、および、Ｔ溝上部に対応する部位が切り欠かれて形成された切欠部を備えており、
該切欠部は、ネジ溝への螺合時に加えられる負荷により回転する際の先行側に形成されて、当該切欠部を画成する上面がＴ溝底部内に位置するとともに、当該切欠部を画成する側面がＴ溝上部の側面に対面するように形成されていることを特徴とするＴ溝固定用ブロック。
【請求項２】
前記ネジ溝が上面の中央に位置するととともに、
前記切欠部は、当該ネジ溝を中心とする回転対称になる２箇所に形成されていることを特徴とする請求項１に記載のＴ溝固定用ブロック。
【請求項３】
前記切欠部を画成する側面の延長面の間隔が略Ｔ溝上部の幅と同等に設定されるとともに、該切欠部に隣接する本体部の側面の間隔も略Ｔ溝上部の幅と同等に設定されて、
当該切欠部側面と本体部側面は、ネジ溝を中心とするＲ形状で滑らかに連続していることを特徴とする請求項２に記載のＴ溝固定用ブロック。
【請求項４】
前記ネジ溝は、ブロック形状に形成された上面から内部に向かって刻設されている雌ネジであることを特徴とする請求項１から３のいずれかに記載のＴ溝固定用ブロック。
【請求項５】
前記ネジ溝は、ブロック形状の上面に立設されている柱状部材の先端側に刻設された雄ネジであることを特徴とする請求項１から３のいずれかに記載のＴ溝固定用ブロック。
【発明の詳細な説明】
【技術分野】
【０００１】
本発明は、Ｔ溝固定用ブロックに関し、詳しくは、テーブルに形成されているＴ溝（Ｔストッロ）に既に取り付けたブロックを外すことなく、そのブロック間の同一のＴ溝に固定することのできるものに関する。
【背景技術】
【０００２】
フライス盤やラジアルボール盤などの加工装置は、図５に示すように、被加工物を位置決め固定するテーブル１００に、その上面に開口する複数筋のＴ溝（Ｔスロット）１１０が刻設されており、このＴ溝１１０は縦断面形状がＴ字の上下を転倒させた形状になるように形成されている。
【０００３】
このＴ溝１１０は、ナット部材１２０を引抜不能に挿通して位置決めすることができるようになっており、ナット部材１２０は、Ｔ溝底部１１１の幅程度に形成された底部１２１と、Ｔ溝上部１１２の幅程度に形成された上部１２２と、を有するブロック形状に形成されている。
【０００４】
このナット部材１２０は、被加工物をテーブル１００に位置決め固定する部材を螺合させてネジ止めする雌ネジ１２３が刻設されており、この雌ネジ１２３への螺合により引き上げられると、Ｔ溝上部１１２を画成する張出部１１３に係止されてテーブル１００上面に位置決め固定させることができ、この結果、被加工物をテーブル１００に位置決め固定することができる。なお、このＴ溝１１０には、ナット部材に限らずに、同様の形状に頭部を形成されたボルト部材でも、位置決め固定することができることはいうまでもない。
【０００５】
しかし、このナット部材１２０は、Ｔ溝１１０から引抜不能な形状に形成されていることから、テーブル１００端部の開口部から挿通する必要がある。このために、位置決め済みの被加工部材を別の箇所でも位置決め固定したい（位置決め固定を追加したい）場合には、一旦、固定済みの位置決め用部材を外してから追加しなければならず、再度、位置決めの段取りをやり直さなければならない。このとき、一旦、位置決め固定を解除してしまうと、先の固定位置からずれないようにする作業は大変であり、切粉などの清掃に時間が掛かってしまう。
【０００６】
この課題を解消するために、ナット部材１２０と共に使用することなく、単独または複数個で使用してテーブル１００のＴ溝１１０内に差し込んだ状態で固定したり、あるいは、ナット部材１２０が既に固定されている場合などにもその間のＴ溝１１０内に差し込んで固定することのできる位置決め固定用部材が提案されている（例えば、特許文献１参照）。
【特許文献１】実開平７−３５８１３号公報
【発明の開示】
【発明が解決しようとする課題】
【０００７】
しかしながら、この上記文献に記載の位置決め固定用部材にあっては、被加工物を位置決め固定するためにネジ止めする際には、Ｔ溝上部１１２の張出部１１３に回転不能に係合して位置決め固定することはできるが、Ｔ溝１１０内への差込時には、そのＴ溝底部１１１内に全体が入ってしまって（沈んでしまって）、自由回転可能であることから、Ｔ溝１１０に位置決め固定する作業がし難いという問題があった。この問題は、Ｔ溝１１０内に差し込んだ後に、Ｔ溝底面との間に敷板を差し込むことが上記文献１でも提案されているが、その作業を行うこと自体が煩雑である。
【０００８】
そこで、本発明は、テーブルのＴ溝内に途中から差込可能な簡単な形状で、その差込後に行う被加工物のネジ止め固定作業によりそのＴ溝内に引抜不能に位置決め固定することができるようにして、被加工物のテーブルへの位置決め固定作業を容易化することのできる安価なＴ溝固定用ブロックを提供することを目的とする。
【課題を解決するための手段】
【０００９】
上記課題を解決するＴ溝固定用ブロックの第１の発明は、被加工物を位置決めするテーブルに形成されたＴ溝内に差し込んで引抜不能に固定するＴ溝固定用ブロックであって、幅狭に形成されてテーブルの上面に開口するＴ溝上部よりも狭い幅、該Ｔ溝上部の幅よりも長い長さ、および、Ｔ溝上部よりも幅広に形成されたＴ溝底部よりも厚い高さを有する寸法形状に形成されるとともに、上面側に刻設されて被加工物の位置決め用部材をネジ止めするネジ溝、および、Ｔ溝上部に対応する部位が切り欠かれて形成された切欠部を備えており、該切欠部は、ネジ溝への螺合時に加えられる負荷により回転する際の先行側に形成されて、当該切欠部を画成する上面がＴ溝底部内に位置するとともに、当該切欠部を画成する側面がＴ溝上部の側面に対面するように形成されていることを特徴とするものである。
【００１０】
この発明では、切欠部を含む本体部全体が、テーブルのＴ溝上部よりも幅狭であることから、Ｔ溝内に途中から差し込むことができ、また、そのＴ溝底部の厚さ（高さ）よりも厚く、同時に、Ｔ溝上部の幅よりも長いことから、差込後に自由回転してしまうことがない。また、切欠部がＴ溝上部に対応して、その切欠部の底面（切欠部を画成する本体部下部の上面）がＴ溝底部の天井よりも低く、また、切欠部の側面がＴ溝上部を画成する張出部の側面に対面することから、その切欠部内に、その張出部を位置させることができ、切欠部の下部（本体部下部）をＴ溝底部内に進入させて切欠部の側面を張出部に対面衝止させることができる。そして、この切欠部がネジ溝への螺合時に回転する際の先行側に形成されていることから、被加工物を位置決め固定する部材を螺合させるのに伴って、Ｔ溝底部内に本体部下部を進入させた状態で引き付けられて張出部の下面に切欠部の底面が係止される状態でテーブルのＴ溝内に位置決め固定される。したがって、テーブルのＴ溝内に途中から差し込んで、被加工物を位置決め固定する作業によりそのＴ溝内に引抜不能に係合させて位置決め固定することができる。
【００１１】
上記課題を解決するＴ溝固定用ブロックの第２の発明は、上記第１の発明の特定事項に加え、前記ネジ溝が上面の中央に位置するととともに、前記切欠部は、当該ネジ溝を中心とする回転対称になる２箇所に形成されていることを特徴とするものである。
【００１２】
この発明では、本体部のネジ溝中心の回転対称位置に形成された切欠部（本体部下部）が、被加工物を位置決め固定する部材を螺合させるのに伴って、そのネジ溝中心に回転することにより、回転対称位置のそれぞれで、切欠部内にＴ溝側の張出部を位置させるのと同時に、本体部下部がＴ溝底部内に進入して、テーブルのＴ溝内に位置決め固定される（本体部下部のＴ溝底部内への進入後に、さらに位置決め固定する部材を回転させると、本体部は回転せずに持ち上げられることにより引き付けられて、張出部の下面に切欠部の底面が係止されて固定される）。したがって、テーブルのＴ溝両側の張出部で均等に位置決め固定することができ、安定して被加工物を位置決め固定することができる。
【００１３】
上記課題を解決するＴ溝固定用ブロックの第３の発明は、上記第２の発明の特定事項に加え、前記切欠部を画成する側面の延長面の間隔が略Ｔ溝上部の幅と同等に設定されるとともに、該切欠部に隣接する本体部の側面の間隔も略Ｔ溝上部の幅と同等に設定されて、当該切欠部側面と本体部側面は、ネジ溝を中心とするＲ形状で滑らかに連続していることを特徴とするものである。
【００１４】
この発明では、本体部および切欠部の側面がＴ溝の張出部の側面に近接対面する形状に形成されることにより、遊んでしまうことなく、位置決め固定する作業を行うことができる。また、このように側面同士が近接対面する形状に形成しても、本体部がネジ溝中心に回転するのに伴って、Ｔ溝上部の張出部に対面する側面が同等幅の本体部側から切欠部側に切り替わる際には、ネジ溝中心のＲ形状で滑らかに対面しつつ切り替わることができる。したがって、本体部の回転時に側面がＴ溝上部の張出部に突き当たって衝止されてしまうことなく、本体部下部をＴ溝底部内に進入させて位置決め固定することができる。
【００１５】
上記課題を解決するＴ溝固定用ブロックの第４の発明は、上記第１から第３のいずれかの発明の特定事項に加え、前記ネジ溝は、ブロック形状に形成された上面から内部に向かって刻設されている雌ネジであることを特徴とするものである。
【００１６】
この発明では、被加工部材をテーブルに位置決め固定する部材は、ボルトなどの雄ネジを雌ネジに螺合させることにより、そのボルトを介して取り付けることができる。したがって、ナット部材で利用していた部材をそのまま流用することができる。
【００１７】
上記課題を解決するＴ溝固定用ブロックの第５の発明は、上記第１から第３のいずれかの発明の特定事項に加え、前記ネジ溝は、ブロック形状の上面に立設されている柱状部材の先端側に刻設された雄ネジであることを特徴とするものである。
【００１８】
この発明では、被加工部材をテーブルに位置決め固定する部材は、ナットなどの雌ネジをその柱状部材先端の雄ネジに螺合させて直接取り付けることができる。したがって、ボルト頭部として機能させて、そのボルト部材で利用していた部材をそのまま流用することができる。ここで、本発明は、上記の第４の発明のＴ溝固定用ブロックの雌ネジに、両端側に雄ネジを刻設された所謂、スタッド部材を螺合させたものであってもよい。
【発明の効果】
【００１９】
このように本発明によれば、Ｔ溝内で自由回転しない寸法の本体部に、そのＴ溝低部内に本体部下部を進入可能にする切欠部を形成するだけで、テーブルのＴ溝内に途中から差し込んで引抜不能に係合させて位置決め固定することができる。したがって、簡単で安価に作製可能な形状で、被加工物をテーブルに位置決め固定する作業を容易化することができ、被加工物の加工コストを低減することができる。
【発明を実施するための最良の形態】
【００２０】
以下、本発明の最良の実施形態を図面に基づいて説明する。図１〜図４は本発明に係るＴ溝固定用ブロックの一実施形態を示す図である。
【００２１】
図１において、Ｔ溝固定用ブロック１０は、ブロック全体の本体部１１が概略直方体形状に形成されており、例えば、図２に示すテーブル１００に形成されているＴ溝（Ｔスロット）１１０内に挿入して位置決め固定することができるように設計されている。なお、このテーブル１００は、フライス盤やラジアルボール盤などの被加工部材を位置決め固定するために利用される汎用のものである。
【００２２】
このＴ溝１１０は、テーブル１００の横方向に直線状に延在してその上面に開口する溝形状に形成されており、その延在方向と直交する縦断面形状がＴ字の上下を転倒させた形状になるように刻設されて、そのテーブル１００の両側端面に臨むように形成されている。すなわち、Ｔ溝１１０は、底部１１１が上部１１２よりも幅広に形成されており、上部１１２よりも幅狭の寸法に形成された部材は、テーブル１００の両端面に限らずに、いずれの箇所からでも底部１１１の底面まで差し込むことができる。一方、このＴ溝１１０は、底部１１１よりも幅狭の寸法に形成された部材でも、その先端が上部１１２よりも幅広に形成された部材は、テーブル１００の両端面側から挿入しない限り、Ｔ溝上部１１２を画成する張出部１１３が衝止して差し込むことを禁止する。
【００２３】
これに対して、Ｔ溝固定用ブロック１０は、本体部１１の幅がそのＴ溝上部１１２の幅よりも幅狭の寸法に形成され、また、その本体部１１の長さはＴ溝上部１１２やＴ溝底部１１１の幅よりも長い寸法になるように形成され、また、その本体部１１の高さはＴ溝底部１１１の高さよりも厚くなるように形成されている。これにより、Ｔ溝固定用ブロック１０は、図３に示すように、Ｔ溝１１０内に上部１１２から差し込んで底部１１１の底面に載置することができる一方、本体部１１全体が底部１１１内に入り込んでしまうことがなく、回転させようとしてもその本体部１１の側面１１ａや後述する切欠部１４の側面１４ａが上部１１２を画成する張出部１１３の側面１１３ａに衝止されて自由回転してしまうことが禁止される。なお、この本体部１１の高さは、Ｔ溝底部１１１とＴ溝上部１１２の高さを加えた寸法より低く設定されており、テーブル１００の上面から露出して邪魔にならないように形成されている。
【００２４】
このＴ溝固定用ブロック１０は、本体部１１の上面側の中央を穿孔されてネジ溝が刻設されることにより雌ネジ１３が形成されており、後述する雄ネジのネジ溝が刻設されている部材を螺合させて連結固定することができる。すなわち、Ｔ溝固定用ブロック１０は、ナット部材と同様な使い勝手で使用することができる。
【００２５】
また、Ｔ溝固定用ブロック１０は、雌ネジ１３を中心にして時計回り方向に本体部１１を回転させたときに先行する側の対角の両側面１１ａ側に、Ｔ溝上部１１２との対面部分よりも下方に広く切り欠かれた一対の切欠部１４が形成されており、この切欠部１４内に両側の張出部１１３（Ｔ溝上部１１２の側面部分）を収装して位置させることができ、この切欠部１４の下側に位置する本体部１１の下部１５を両側のＴ溝底部１１１内に進入させることができる。すなわち、この切欠部１４は、雌ネジ１３に雄ネジを螺合させる際に加えられる回転力（負荷）により回転したときに、本体部下部１５が衝止されずにＴ溝底部１１１内に進入することを許容して、このときには、その本体部下部１５の上面（切欠部１４の底面）１５ａがＴ溝底部１１１の天井に対面する状態でその内部に位置するとともに、この切欠部１４の側面１４ａはＴ溝上部１１２に対応する張出部１１３の側面１１３ａに対面する。
【００２６】
そして、Ｔ溝固定用ブロック１０は、図３に示すように、本体部１１がＴ溝上部１１２の溝幅よりも若干幅狭となる同等の幅に設定されているとともに、切欠部１４の側面１４ａの延長面１４ｂの間隔（幅）もＴ溝上部１１２の溝幅よりも若干幅狭となる同等の幅に設定されており、この本体部１１の側面１１ａと切欠部１４の側面１４ａとの間の隣接部分では、雌ネジ１３を中心とする半径がそのＴ溝上部１１２の溝幅よりも若干狭いＲ形状の円弧面１４ｃにより滑らかに連続するように形成されている。これにより、本体部１１の側面１１ａや切欠部１４の側面１４ａがＴ溝上部１１２に対応する張出部１１３の側面１１３ａに近接し、また、本体部１１をＴ溝底部１１１内に載置して雌ネジ１３を中心に回転させるときには、円弧面１４ｃがその回転を許容しつつ張出部１１３の側面１１３ａに近接することによって、ぐらつくことを制限することができる。
【００２７】
したがって、Ｔ溝固定用ブロック１０は、図３に示すように、本体部１１をテーブル１００のＴ溝１１０にその端面側からではなく、途中のＴ溝上部１１２から差し込むことができる。この後に、図４に示すように、テーブル１００上に被加工物を位置決め固定する部材をネジ止めするボルト１３０の雄ネジを本体部１１上面の雌ネジ１３に螺合させる作業を行うことにより、その本体部１１をその螺合方向にスムーズに回転させて切欠部１４内にＴ溝上部１１２に対応する張出部１１３を位置させるとともに、Ｔ溝底部１１１内に本体部下部１５を進入させることができる。
【００２８】
このとき、本体部１１の側面１１ａと切欠部１４の側面１４ａの間に円弧面１４ｃを形成していない場合には、その間に形成される角部がＴ溝上部１１２に対応する張出部１１３の側面１１３ａに衝止されてしまうが、これに対応する部位の円弧面１４ｃが本体部１１の側面１１ａから切欠部１４の側面１４ａにその張出部１１３の側面１１３ａに対面する部位を滑らかに切り替えることができる。
【００２９】
そして、このＴ溝固定用ブロック１０は、その張出部１１３の側面１１３ａに切欠部１４の側面１４ａが衝止された状態で、さらに雌ネジ１３への螺合作業が継続されると、本体部１１全体が引き上げられて一対の本体部下部１５が両側の張出部１１３に衝止されることにより、引抜不能にネジ止め係止されて均等に位置決め固定される。
【００３０】
このように本実施形態においては、直方体の本体部１１に一対の切欠部１４を形成するだけの、簡単な形状で安価に作製可能なＴ溝固定用ブロック１０を、テーブル１００のＴ溝１１０内にその途中から差し込んで引抜不能に位置決め固定することができ、被加工物をテーブル１００に位置決め固定する作業を容易化することができる。したがって、被加工物のテーブル１００への位置決め固定作業のやり直しを少なくすることができ、被加工物の加工コストを低減することができる。
【００３１】
本実施形態の第１の他の態様としては、図示することは省略するが、雌ネジ１３に代えて、円柱形状に形成されてその先端側外周面にネジ溝が刻設されたボルト部材を本体部１１に立設してもよい。この場合には、上述実施形態を頭部として備えるボルト部材に構成されて、同様にテーブル１００のＴ溝１１０に位置決め固定することができ、テーブル１００上に被加工物を位置決め固定する部材をナットなどによりネジ止め固定することができる。
【００３２】
本実施形態の第２の他の態様としては、図示することは省略するが、雌ネジ１３に代えて、円柱形状に形成されてその両端側外周面にネジ溝が刻設された円柱部材、所謂、スタッドボルト部材を本体部１１に立設してもよい。この場合にも、上述のボルト部材と同様に取り扱って、テーブル１００のＴ溝１１０に位置決め固定することができ、テーブル１００上に被加工物を位置決め固定する部材をナットなどによりネジ止め固定することができる。
【産業上の利用可能性】
【００３３】
これまで本発明の一実施形態について説明したが、本発明は上述の実施形態に限定されず、その技術的思想の範囲内において種々異なる形態にて実施されてよいことは言うまでもない。例えば、上述実施形態では、本体部１１の回転対称になる２箇所に切欠部１４を形成する場合を説明するが、この切欠部は一方のみでもよく、Ｔ溝底部１１１内にその切欠部下の本体下部を進入させて位置決め固定することもできる。ただし、この場合には、１箇所のみの固定になるので、安定性の面から上述実施形態のように構成するのが好適である。
【図面の簡単な説明】
【００３４】
【図１】本発明に係るＴ溝固定用ブロックの一実施形態の全体構成を示す図であり、（ａ）はその上面図、（ｂ）はその正面図、（ｃ）はその側面図である。
【図２】そのＴ溝固定用ブロックを使用するＴ溝を示す斜視図である。
【図３】そのＴ溝固定用ブロックをＴ溝内に載置した状態を示す図であり、（ａ）はその平面図、（ｂ）はその正面方向からの立面図である。
【図４】その使用を説明する図であり、Ｔ溝内に載置して回転させたときの状態を正面方向から見た立面図である。
【図５】その従来技術をＴ溝内に挿入したときの状態を説明する図であり、（ａ）はその正面方向からの一部断面図立面図、（ｂ）はその上面図である。
【符号の説明】
【００３５】
１０    Ｔ溝固定用ブロック
１１    本体部
１１ａ    側面
１３    雌ネジ
１４    切欠部
１４ａ    側面
１４ｃ    円弧面
１５    本体部下部
１５ａ    上面
１００    テーブル
１１０    Ｔ溝
１１１    Ｔ溝底部
１１２    Ｔ溝上部
【図１】
2006170297.tif 000003
【図２】
2006170297.tif 000004
【図３】
2006170297.tif 000005
【図４】
2006170297.tif 000006
【図５】
2006170297.tif 000007